【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
物体側から像側へ順に配置された、負の屈折力の第１レンズ群、正の屈折力の第２レンズ群、負の屈折力の第３レンズ群からなり、ズーミングに際して隣り合うレンズ群の間隔が変化するように全てのレンズ群が移動するズームレンズであって、
前記第１レンズ群は負レンズと正レンズを有し、
波長４８６．１３ｎｍの光に対する材料の屈折率をｎＦ、波長５８７．６ｎｍの光に対する前記材料の屈折率をｎｄ、波長６５６．２７ｎｍの光に対する前記材料の屈折率をｎＣ、波長１０１３．９８ｎｍの光に対する前記材料の屈折率をｎｔとし、前記材料のアッベ数νｄと部分分散比θＣｔをそれぞれ
νｄ＝（ｎｄ−１）／（ｎＦ−ｎＣ）
θＣｔ＝（ｎＣ−ｎｔ）／（ｎＦ−ｎＣ）
とするとき、
前記第２レンズ群は、
８５＜νｄ
−０．２５＜θＣｔ−（０．００４７×νｄ＋０．５４６）＜−０．１０
なる条件式を満足する正レンズを有し、
前記第１レンズ群の焦点距離をｆ１、広角端における全系の焦点距離をｆｗとするとき、
−３．５＜ｆ１／ｆｗ＜−１．８
なる条件式を満足することを特徴とするズームレンズ。
【請求項２】
前記第２レンズ群の焦点距離をｆ２、前記第３レンズ群の焦点距離をｆ３とするとき、
−０．５０＜ｆ２／ｆ３＜−０．１５
なる条件式を満足することを特徴とする請求項１に記載のズームレンズ。
【請求項３】
前記第１レンズ群に含まれる正レンズの材料の屈折率とアッベ数を各々Ｎｄ１ｐ、νｄ１ｐとするとき、前記第１レンズ群は、
１．８０＜Ｎｄ１ｐ
νｄ１ｐ＜２６．０
なる条件式を満足する正レンズを有することを特徴とする請求項１又は２に記載のズームレンズ。
【請求項４】
前記第１レンズ群は２枚以上の負レンズを有し、
前記第２レンズ群は３枚以上の正レンズと１枚以上の負レンズを有し、
前記第２レンズ群の焦点距離をｆ２とするとき、
−１．２＜ｆ１／ｆ２＜−０．４
なる条件式を満足することを特徴とする請求項１乃至３のいずれか１項に記載のズームレンズ。
【請求項５】
前記第３レンズ群の焦点距離をｆ３とするとき、
−２０．０＜ｆ３／ｆｗ＜−５．０
なる条件式を満足することを特徴とする請求項１乃至４のいずれか１項に記載のズームレンズ。
【請求項６】
広角端から望遠端へのズーミングにおける前記第３レンズ群の移動量をＭ３、広角端におけるレンズ全長をＯＡＬｗとするとき、
０．１２＜−Ｍ３／ＯＡＬｗ＜０．５０
なる条件式を満足することを特徴とする請求項１乃至５のいずれか１項に記載のズームレンズ。
【請求項７】
前記第２レンズ群の広角端における横倍率をβ２ｗ、前記第２レンズ群の望遠端における横倍率をβ２ｔ、前記第３レンズ群の広角端における横倍率をβ３ｗ、前記第３レンズ群の望遠端における横倍率をβ３ｔとするとき、
０．２８＜（β３ｔ／β３ｗ）／（β２ｔ／β２ｗ）＜０．７０
なる条件式を満足することを特徴とする請求項１乃至６のいずれか１項に記載のズームレンズ。
【請求項８】
前記第１レンズ群は、物体側から像側へ順に配置された、像側の面が凹形状の負レンズ、像側の面が凹形状の負レンズ、物体側の面が凸形状の正レンズより構成されることを特徴する請求項１乃至７のいずれか１項に記載のズームレンズ。
【請求項９】
前記第２レンズ群は、物体側から像側へ順に配置された、両凸形状の正レンズ、互いに接合された両凸形状の正レンズと両凹形状の負レンズ、両凸形状の正レンズより構成されることを特徴とする請求項１乃至８のいずれか１項に記載のズームレンズ。
【請求項１０】
前記第２レンズ群は、物体側から像側へ順に配置された、両凸形状の正レンズ、互いに接合された両凸形状の正レンズと両凹形状の負レンズ、両凸形状の正レンズ、両凸形状の正レンズより構成されることを特徴とする請求項１乃至８のいずれか１項に記載のズームレンズ。
【請求項１１】
前記第３レンズ群は、物体側の面が凹形状の負レンズより構成されることを特徴とする請求項１乃至１０のいずれか１項に記載のズームレンズ。
【請求項１２】
請求項１乃至１１のいずれか１項に記載のズームレンズと、該ズームレンズによって形成される像を受光する撮像素子を有することを特徴とする撮像装置。
【請求項１３】
前記ズームレンズの広角端における開放ＦナンバーをＦｎｏｗ、前記ズームレンズの望遠端における開放ＦナンバーをＦｎｏｔ、望遠端における全系の焦点距離をｆｔ、波長８５０ｎｍの光に対する広角端における全系の焦点距離をｆｗ＿８５０、波長８５０ｎｍの光に対する望遠端における全系の焦点距離をｆｔ＿８５０、前記撮像素子の画素ピッチをｐとするとき、
２．０＜Ｆｎｏｗ・（（ｆｗ＿８５０−ｆｗ）／ｐ）＜３０．０
１０．０＜Ｆｎｏｔ・（（ｆｔ＿８５０−ｆｔ）／ｐ）＜１２０．０
なる条件式を満足することを特徴とする請求項１２に記載の撮像装置。
【手続補正２】
【補正対象書類名】明細書
【補正対象項目名】００１０
【補正方法】変更
【補正の内容】
【００１０】
本発明のズームレンズは、物体側から像側へ順に配置された、負の屈折力の第１レンズ群、正の屈折力の第２レンズ群、負の屈折力の第３レンズ群からなり、ズーミングに際して隣り合うレンズ群の間隔が変化するように全てのレンズ群が移動するズームレンズであって、
前記第１レンズ群は負レンズと正レンズを有し、
波長４８６．１３ｎｍの光に対する材料の屈折率をｎＦ、波長５８７．６ｎｍの光に対する前記材料の屈折率をｎｄ、波長６５６．２７ｎｍの光に対する前記材料の屈折率をｎＣ、波長１０１３．９８ｎｍの光に対する前記材料の屈折率をｎｔとし、前記材料のアッベ数νｄと部分分散比θＣｔをそれぞれ
νｄ＝（ｎｄ−１）／（ｎＦ−ｎＣ）
θＣｔ＝（ｎＣ−ｎｔ）／（ｎＦ−ｎＣ）
とするとき、
前記第２レンズ群は、
８５＜νｄ
−０．２５＜θＣｔ−（０．００４７×νｄ＋０．５４６）＜−０．１０
なる条件式を満足する正レンズを有し、
前記第１レンズ群の焦点距離をｆ１、広角端における全系の焦点距離をｆｗとするとき、
−３．５＜ｆ１／ｆｗ＜−１．８
なる条件式を満足することを特徴としている。
【手続補正３】
【補正対象書類名】明細書
【補正対象項目名】００１３
【補正方法】変更
【補正の内容】
【００１３】
以下、本発明のズームレンズ及びそれを有する撮像装置を図面に基づいて説明する。本発明のズームレンズは、物体側から像側へ順に配置された、負の屈折力の第１レンズ群、正の屈折力の第２レンズ群、負の屈折力の第３レンズ群より構成されている。ズーミングに際して隣り合うレンズ群の間隔が変化するように全てのレンズ群が移動する。
【手続補正４】
【補正対象書類名】明細書
【補正対象項目名】００６０
【補正方法】変更
【補正の内容】
【００６０】
本発明のズームレンズは第１レンズ群Ｌ１は物体側から像側へ順に配置された、像側の面が凹形状の負レンズ、像側の面が凹形状の負レンズ、物体側の面が凸形状の正レンズより構成される。第２レンズ群Ｌ２は、物体側から像側へ順に配置された、両凸形状の正レンズ、互いに接合された両凸形状の正レンズと両凹形状の負レンズ、両凸形状の正レンズより構成される。
【手続補正５】
【補正対象書類名】明細書
【補正対象項目名】００６１
【補正方法】変更
【補正の内容】
【００６１】
または第２レンズ群Ｌ２は、物体側から像側へ順に配置された、両凸形状の正レンズ、互いに接合された両凸形状の正レンズと両凹形状の負レンズ、両凸形状の正レンズ、両凸形状の正レンズより構成される。第３レンズ群Ｌ３は物体側の面が凹形状の負レンズより構成される。